(57)【要約】      （修正有）【課題】暗い場所でも視野を明るく照らすことができ、かつ、外観上の見栄えが良く、しかも、未使用時にスイッチが誤って入って電池が消耗するのを防止することができるライト付き眼鏡を提供する。【解決手段】テンプル１の基端側先端には発光部材１２を装着して、この発光部材１２を当該テンプル１に内蔵した小型電池に接続してテンプル１の内側面に設けたスイッチ１１をＯＮ・ＯＦＦ操作することにより点灯又は消灯可能にして、このテンプル１を、レンズＬを備えるフロント枠Ｆの左右両側に折畳み自在にヒンジ連結して、これら左右のテンプル１・１を拡開させたときには前記発光部材１２をフロント枠ＦのレンズＬの前方視野を照明可能なる如く指向せしめて、前記スイッチ１１のＯＮ・ＯＦＦ操作によって視野を照明できるようにするという技術的手段を採用した。【選択図】図１
0003166589.tif 000002
【実用新案登録請求の範囲】
【請求項１】
テンプル（１）の基端側先端には発光部材（12）が装着されており、この発光部材（12）は当該テンプル（１）に内蔵された小型電池（13）に接続されてテンプル（１）の内側面に設けられたスイッチ（11）をＯＮ・ＯＦＦ操作することにより点灯又は消灯可能であって、
このテンプル（１）は、レンズ（Ｌ）を備えるフロント枠（Ｆ）の左右両側に折畳み自在にヒンジ連結されており、これら左右のテンプル（１・１）を拡開させたときには前記発光部材（12）はフロント枠（Ｆ）のレンズ（Ｌ）の前方視野を照明可能なる如く指向されており、前記スイッチ（11）のＯＮ・ＯＦＦ操作によって視野を照明できるようにしたことを特徴とするライト付き眼鏡。
【請求項２】
発光部材（12）が高輝度発光ダイオードであることを特徴とする請求項１記載のライト付き眼鏡。
【請求項３】
小型電池（13）の収容部を被覆する蓋部材（13ａ）がテンプル（１）本体に枢着していることを特徴とする請求項１または２記載のライト付き眼鏡。
【考案の詳細な説明】
【技術分野】
【０００１】
本考案は、眼鏡の改良、更に詳しくは、暗い場所でも視野を明るく照らすことができ、かつ、外観上の見栄えが良く、しかも、未使用時にスイッチが誤って入って電池が消耗するのを防止することができるライト付き眼鏡に関するものである。
【背景技術】
【０００２】
周知のとおり、近視や老視に悩まされた者は、眼鏡を着用することによって、視力を矯正して、良好な視界を得ることができるが、それでも暗い所では十分に明視することができない。
【０００３】
ところで、適当な照明設備のない暗い場所（例えば、倉庫や野営テントの中など）で読書をしたり、手仕事をしたりする場合には、通常、懐中電灯やペンライトが使用されるが、照らしたい箇所を的確に照らすには何らかの保持手段が必要であり、不便である。
【０００４】
このような不便を解消しようとして、＜特許文献１＞に示すごときキャラクター型の卓上照明器具のような簡易スタンドや、あるいは＜特許文献２＞の図８及び図１２に示すごとき顔面装着型の照明器具も提案されているが、前者の卓上照明器具は小さくても眼鏡と別に持ち運ばねばならず、またコスト的にも高価であるために実用性に乏しく、また後者の顔面装着型の照明装置は顔面に着装する部品や装着部材が重くて煩わしく、しかも着装に手間がかかって不便である。
【先行技術文献】
【特許文献】
【０００５】
【特許文献１】実開昭６０−１９４８０６号公報
【特許文献２】登録実用新案第３０２２５１２号公報（図８、図１２）
【考案の概要】
【考案が解決しようとする課題】
【０００６】
本考案は、従来の眼鏡に上記のような問題があったことに鑑みて為されたものであり、その目的とするところは、暗い場所でも視野を明るく照らすことができ、かつ、外観上の見栄えが良く、しかも、未使用時にスイッチが誤って入って電池が消耗するのを防止することができるライト付き眼鏡を提供することにある。
【課題を解決するための手段】
【０００７】
本考案者が上記課題を解決するために採用した手段を添付図面を参照して説明すれば次のとおりである。
【０００８】
即ち、本考案は、テンプル１の基端側先端には発光部材12を装着して、この発光部材12を当該テンプル１に内蔵した小型電池13に接続してテンプル１の内側面に設けたスイッチ11をＯＮ・ＯＦＦ操作することにより点灯又は消灯可能にして、
このテンプル１を、レンズＬを備えるフロント枠Ｆの左右両側に折畳み自在にヒンジ連結して、これら左右のテンプル１・１を拡開させたときには前記発光部材12をフロント枠ＦのレンズＬの前方視野を照明可能なる如く指向せしめて、前記スイッチ11のＯＮ・ＯＦＦ操作によって視野を照明できるようにするという技術的手段を採用したことにより、ライト付き眼鏡を完成させた。
【０００９】
また、本考案は、上記課題を解決するために、必要に応じて上記手段に加え、発光部材12を高輝度発光ダイオードにするという技術的手段を採用した。
【００１０】
更にまた、本考案は、上記課題を解決するために、必要に応じて上記手段に加え、小型電池13の収容部を被覆する蓋部材13ａをテンプル１本体に枢着するという技術的手段を採用した。
【考案の効果】
【００１１】
本考案にあっては、テンプルの基端側先端には発光部材を装着して、この発光部材を当該テンプルに内蔵した小型電池に接続してテンプルの内側面に設けられたスイッチをＯＮ・ＯＦＦ操作することにより点灯又は消灯可能にして、
このテンプルを、レンズを備えるフロント枠の左右両側に折畳み自在にヒンジ連結して、これら左右のテンプルを拡開させたときには前記発光部材はフロント枠のレンズの前方視野を照明可能なる如く指向せしめたことによって、前記スイッチのＯＮ・ＯＦＦ操作によって視野を照明できるようにした。
【００１２】
したがって、本考案のライト付き眼鏡によれば、暗い場所でも視野を明るく照らすことができ、小さい文字や数字を読み易くすることができる。
【００１３】
また、スイッチが外側面からは見えないので、外観上の見栄えが良く、しかも、未使用時にスイッチが誤って入って電池が消耗するのを防止することができることから、眼鏡としての実用的利用価値は頗る高いものがあると云える。
【図面の簡単な説明】
【００１４】
【図１】本考案の実施形態のライト付き眼鏡を表わす全体斜視図である。
【図２】本考案の実施形態のライト付き眼鏡のテンプルの内側面を表わす側面図である。
【図３】本考案の実施形態のライト付き眼鏡を折り畳んだ状態を表わす全体上面図である。
【考案を実施するための形態】
【００１５】
本考案を実施するための形態を、具体的に図示した図面に基づいて更に詳細に説明すると、次のとおりである。
【００１６】
本考案の実施形態を図１から図３に基づいて説明する。図１中、符号１で指示するものはテンプルであり、本実施形態では、ポリカーボネートにより作製する。
【００１７】
しかして、本考案のライト付き眼鏡を構成するにあっては、まず、テンプル１の基端側先端には発光部材12を装着する。本実施形態では、発光部材12を高輝度発光ダイオード（高輝度ＬＥＤ）にすることができるとともに、発光部材12の頭部は、当該テンプル１における基端側の端面から露出させる。
【００１８】
次いで、この発光部材12を、当該テンプル１に内蔵された小型電池13に接続する。本実施形態では、３Ｖのボタン小型電池を２個内蔵することができ、これらの小型電池を導電体により直流に連結する。
【００１９】
なお、本実施形態では、小型電池13の収容部を被覆する蓋部材13ａをテンプル１本体に枢着することができ（図２参照）、蓋部材13ａの紛失を防止することができる。
【００２０】
そして、テンプルの内側面にスイッチ11を設ける。本実施形態では、テンプル１の内側面に突出するように配設して、押す毎に通電をＯＮ・ＯＦＦ可能な機構のスイッチを採用することができる。
【００２１】
然る後、このスイッチ11をＯＮ・ＯＦＦ操作することにより、発光部材12の点灯又は消灯が可能である。
【００２２】
また、このテンプル１を、レンズＬを備えるフロント枠Ｆの左右両側に折畳み自在にヒンジ連結する。本実施形態では、テンプル１の基端部とフロント枠Ｆのエンドピースとの対向部にそれぞれ駒部品を形成し、ネジ部材によってこれら両部材を枢結する。
【００２３】
そして、これら左右のテンプル１・１を拡開させたときには、前記発光部材12を、フロント枠ＦのレンズＬの前方視野を照明可能なる如く指向させることができる。
【００２４】
このように構成したことによって、前記スイッチ11のＯＮ・ＯＦＦ操作によって、視野を照明できるようにした。
【００２５】
また、本実施形態では、スイッチ11を、テンプル１の内側面に配設したことによって、図３に示すように、未使用時に折り畳んだ時でも、ケースの中などでスイッチが誤って入ってしまうことがなく、電池が消耗するのを防止することができる。
【００２６】
本考案は、概ね上記のように構成されるが、図示の実施形態に限定されるものでは決してなく、「実用新案登録請求の範囲」の記載内において種々の変更が可能であって、例えば、発光部材12は発光ダイオードに限らずフィラメントによる豆電球でも良い。
【００２７】
また、フロント枠Ｆは、フルリムやハーフリム、リムレス式のものを採用することができ、これら何れのものも本考案の技術的範囲に属する。
【符号の説明】
【００２８】
１    テンプル
11    スイッチ
12    発光部材
13    小型電池
13ａ  蓋部材
Ｆ    フロント枠
Ｌ    レンズ
【図１】
0003166589.tif 000003
【図２】
0003166589.tif 000004
【図３】
0003166589.tif 000005